(57)【要約】【課題】打撃位置を筐体の軸中心位置に対してオフセットして、設計の自由度を高める。【解決手段】ヘッド１１は、筐体１２の筒方向における奏者側の開口部である前端部１２ａに配置される。筐体１２の筒状部の筒方向視（軸心Ｃ０方向視であり正面視でもある）において、筐体１２の図心位置をＰ０とし、緩衝材１４の図心位置をＰ１とする。緩衝材１４の図心位置Ｐ１は、ビータ２５が当接する位置に一致させてある。床面を基準として、筐体１２の図心位置Ｐ０の高さはＨ０で、緩衝材１４の図心位置Ｐ１の高さはＨ１である（Ｈ０＜Ｈ１）。図心位置Ｐ１は図心位置Ｐ０よりも上方にオフセットされている。【選択図】図１
2016133718.tif 000002
【特許請求の範囲】
【請求項１】
バスドラム型の電子ドラムであって、
筒状部を有する筐体と、
前記筒状部の筒方向における端部に配置され、打撃面を有する打面部材と、
前記打面部材の裏側に配置される緩衝材と、を有し、
前記筒状部の筒方向視において、前記筐体の図心位置に対して前記緩衝材の図心位置がオフセットされていることを特徴とする電子ドラム。
【請求項２】
前記筒状部の筒方向視において、前記筐体の図心位置よりも、前記緩衝材の図心位置の方が上方にオフセットされていることを特徴とする請求項１記載の電子ドラム。
【請求項３】
筒状部を有する筐体と、
前記筒状部の筒方向における端部に配置され、打撃面を有する打面部材と、
前記打面部材の表側に配置され、前記打面部材を露出させる窓を有する窓部材と、を有し、
前記筒状部の筒方向視において、前記筐体の図心位置に対して前記窓部材の前記窓の図心位置がオフセットされていることを特徴とする電子ドラム。
【請求項４】
前記打面部材の裏側に配置される緩衝材を有し、
前記筒状部の筒方向視において、前記緩衝材の図心位置が前記窓部材の前記窓の図心位置と略一致していることを特徴とする請求項３記載の電子ドラム。
【請求項５】
前記打面部材は、前記筐体に対して相対的に配置を切り替え可能であり、
前記打面部材の配置を切り替えることで、前記筒状部の筒方向視において、前記緩衝材の図心位置に対応する前記打面部材の位置をずらすことが可能であることを特徴とする請求項１または２記載の電子ドラム。
【請求項６】
前記打面部材は、前記筐体に対して相対的に配置を切り替え可能であり、
前記打面部材の配置を切り替えることで、前記筒状部の筒方向視において、前記窓の図心位置に対応する前記打面部材の位置をずらすことが可能であることを特徴とする請求項３または４記載の電子ドラム。
【発明の詳細な説明】
【技術分野】
【０００１】
本発明は、筒状部を有する筐体と打撃される打面部材とを備える電子ドラムに関する。
【背景技術】
【０００２】
従来、アコースティックのバスドラムにおいては、ヘッドの中心を打撃したときに一番低い音が出るため、ビータがヘッドの中心を打撃するように、バスドラムが設置される。一方、電子ドラムにおいては、直接の打撃音を用いるわけではない。そのため、下記特許文献１、２に示されるように、打面部材は小さく設計され、アコースティックドラムにおけるほぼヘッド中心に相当する位置に打面部材の中心が位置するように設計されるのが通常である。
【０００３】
また、電子ドラムにおいても、外観をアコースティックドラムに近づけたものが知られている。例えば、下記特許文献３では、シェルに相当する形状及び大きさの筐体を設けている。この電子ドラムでは、筐体の半径方向中心でもある打面部材の中心が、実際に打撃されることを予定しており、その位置の裏側に緩衝材が配置される。
【先行技術文献】
【特許文献】
【０００４】
【特許文献１】実公平０７−０３８９５３号公報
【特許文献２】特開２００７−２０６６３３号公報
【特許文献３】特開２００９−１５１１７８号公報
【発明の概要】
【発明が解決しようとする課題】
【０００５】
しかしながら、特許文献３のように、電子ドラムにおいてシェルに相当する筐体を単純に大きくすると、筐体の上端位置が高くなり過ぎ、ドラムがラックのパイプ等に干渉して、ラック内に収まらない場合がある。側端が干渉することも考えられる。そのため、筐体のサイズは一般的な高さのラックに合わせたサイズに限定され、大型化することへの制約がある。その一方、干渉を避けるためにラック高さを高くすると、ラックの重心が高くなって安定性が悪くなる。また、適合するラックが特別な構成となって、市販のラックを利用できなくなることも考えられる。このように、電子ドラムにおいて、ドラム設計の自由度は高くない。
【０００６】
ところで、打面部材におけるビータで打撃する位置の高さは通常決まっているので、筐体のサイズを大きくする場合でも、打撃位置が変わらないように考慮する必要がある。なお、特許文献３のように大きい筐体を設けたとしても、実際に打撃する位置は決まっているから、打面部材の同じ箇所が集中的に摩耗し、それにより寿命が決まってしまうのが実情である。
【０００７】
本発明は上記従来技術の問題を解決するためになされたものであり、その目的は、打撃位置を筐体の軸中心位置に対してオフセットして、設計の自由度を高めることができる電子ドラムを提供することにある。
【課題を解決するための手段】
【０００８】
上記目的を達成するために本発明の請求項１の電子ドラムは、バスドラム型の電子ドラムであって、筒状部を有する筐体（１２）と、前記筒状部の筒方向における端部（１２ａ）に配置され、打撃面（１１ａ）を有する打面部材（１１）と、前記打面部材の裏側に配置される緩衝材（１４）と、を有し、前記筒状部の筒方向視において、前記筐体の図心位置（Ｐ０）に対して前記緩衝材の図心位置（Ｐ１）がオフセットされていることを特徴とする。
【０００９】
なお、上記括弧内の符号は例示である。
【発明の効果】
【００１０】
本発明の請求項１、３によれば、打撃位置を筐体の軸中心位置に対してオフセットして、設計の自由度を高めることができる。
【００１１】
請求項２によれば、打撃位置を筐体の軸中心位置よりも上方にオフセットして、打撃位置の高さを変えることなく大型の筐体を採用することができる。請求項４によれば、打撃される領域の裏側に対応して緩衝材を配置することができる。請求項５、６によれば、打面部材の寿命を延ばすことができる。
【図面の簡単な説明】
【００１２】
【図１】第１の実施の形態に係る電子ドラムの主要部の分解図（図（ａ））、ドラムセットの模式図（図（ｂ））、電子ドラムの模式的な斜視図（図（ｃ））である。
【図２】電子ドラムの縦断面図（図（ａ））、ドラム本体の前面図（図（ｂ））である。
【図３】従来の電子ドラムにおいてドラム本体のサイズ違いによる筐体の図心位置の変化を説明するための図（図（ａ）、（ｂ））、本実施の形態においてヘッドと筐体との配置の切り替えを示す正面視（図（ｃ）、（ｄ））である。
【図４】変形例の電子ドラムの縦断面図（図（ａ）、（ｂ））である。
【図５】第２の実施の形態に係る電子ドラムの主要部の分解図（図（ａ））、縦断面図（図（ｂ））、ドラム本体の前面図（図（ｃ））である。
【図６】第３の実施の形態に係る電子ドラムの主要部の分解図（図（ａ））、ドラム本体の前面図（図（ｂ））である。
【発明を実施するための形態】
【００１３】
以下、本発明の実施の形態を図面を参照して説明する。
【００１４】
（第１の実施の形態）
図１（ａ）は、本発明の第１の実施の形態に係る電子ドラムの主要部の分解図である。この電子ドラム１０は電子バスドラム（キックパッド）として構成される。図１（ｂ）は、電子ドラム１０を含むドラムセットの模式図である。ドラムセットは、電子ドラム１０と、電子ドラム１０を収めるラック９とからなる。図１（ｃ）は、電子ドラム１０の模式的な斜視図である。電子ドラム１０は、ドラム本体がスタンド２０で支持されて成る（図１（ｂ）、（ｃ））。電子ドラム１０の奏者側には、フットペダル装置２４が取り付けられる。以下、電子ドラム１０の上下左右の各方向は、奏者側からの視点（図１（ｂ）の正面視）を基準として呼称する。前後方向については奏者側を前側とする。取り付けられるフットペダル装置２４（図１（ｃ））は一般的なものであり、ペダル操作によってそのビータ２５がヘッド１１の打撃面１１ａを打撃する。
【００１５】
図１（ａ）に示すように、ドラム本体は、フープ１３、ヘッド１１（打撃部材）、筐体１２、緩衝材１４等を組み付けてなる。ヘッド１１は、ゴム、シリコンまたはウレタン等の弾性を有する部材で一体に形成され、奏者側の面である表面が打撃面１１ａとなる。なお、ヘッド１１の表面には、ニット材等が貼られる場合があるが、以降、必要が無い限り、打撃面を表現する際にニット材の表面とヘッド１１の表面とを区別しない。フープ１３、筐体１２は樹脂、紙管または木材等で構成される。緩衝材１４はクッション性を有する材料で構成される。
【００１６】
筐体１２は、アコースティックバスドラムにおけるシェルに相当する円筒形状をした外装部材であり、全体が筒状部に該当する。ヘッド１１は、平面視で円形状に形成される。フープ１３は、筐体１２の一部を外周側から覆うことができる環状形状に形成される。フープ１３及びヘッド１１は、それぞれの半径方向中心を筐体１２の筒状部の軸心Ｃ０に一致させて、同心に組み付けられる。
【００１７】
図２（ａ）は、電子ドラム１０の縦断面図である。図２（ｂ）は、電子ドラム１０のドラム本体の前面図である。図２（ｂ）では、軸心Ｃ０に沿って前側からドラム本体を見ている。
【００１８】
図２（ａ）で、電子ドラム１０につき、ドラム本体がスタンド２０に支持される構造の一例を説明するが、支持構造はこれに限定されるものではない。スタンド２０は、金属等で構成され、第１の取り付け部２１、第２の取り付け部２２、第３の取り付け部２６を有する。第１の取り付け部２１及び第３の取り付け部２６は、軸心Ｃ０に垂直な板状部である。第２の取り付け部２２は、軸心Ｃ０を中心とする欠円状または円弧状の肉部である。すなわち第２の取り付け部２２は、軸心Ｃ０を中心とする仮想円筒のうち、円周方向における連続的または断続的な肉部に相当する部分である。第３の取り付け部２６は例えば、前側から見て環状に構成される。
【００１９】
第２の取り付け部２２の外周面に、筐体１２の内周面が螺着または接着等で固着される。第１の取り付け部２１の前面に、緩衝材１４が固着され、第１の取り付け部２１と緩衝材１４との間に、ピエゾ素子等でなる打撃センサ１５が配設される。なお、緩衝材１４を複数の層で構成し、打撃センサ１５を緩衝材１４の層の間に配設してもよい。打撃センサ１５は、振動を検出できればよく、その構成は問わない。
【００２０】
第３の取り付け部２６の前面にヘッド１１が固着される。ヘッド１１は、第３の取り付け部２６に接着で固定してもよいが、本実施の形態では、着脱可能なようにネジ２３で固定される。ネジ２３による螺着箇所は円周方向において等間隔に複数であり、例えば６つである（図２（ｂ）参照）。ヘッド１１は、筐体１２の筒方向における奏者側の開口部である前端部１２ａに配置される。筒方向は、軸心Ｃ０の軸線方向である。ヘッド１１は、筐体１２に対して接触していないが、接触していてもよい。
【００２１】
ヘッド１１及び緩衝材１４がスタンド２０に固定され且つ、非打撃状態において、緩衝材１４の前面が、ヘッド１１の裏面から僅かな圧縮力を受けるように構成されている。なお、緩衝材１４の前面とヘッド１１の裏面とは僅かに離間した状態としてもよい。フープ１３は、筐体１２の前端部１２ａに配置され、例えば、筐体１２の外周面にネジ等で固着される。
【００２２】
かかる構成において、ヘッド１１の打撃面１１ａがビータ２５によって打撃されるとヘッド１１が振動し、その振動が、緩衝材１４を介して打撃センサ１５に伝わる。打撃センサ１５は、受けた振動を電気信号（電圧）に変換して、検出信号として出力する。そして、検出信号が所定の閾値を超えると、打撃があったことが検出される。その検出結果、すなわち、検出されたタイミングに基づくタイミングで、且つ検出信号のレベルに応じた音量にて、不図示の楽音発生機構によって楽音が発生する。
【００２３】
次に、上下方向における、ヘッド１１、筐体１２、フープ１３及び緩衝材１４の位置関係について説明する。図１（ｂ）、（ｃ）、図２（ａ）、（ｂ）に示すように、筐体１２の筒状部の筒方向視（軸心Ｃ０方向視であり正面視でもある）において、筐体１２の図心位置をＰ０とし、緩衝材１４の図心位置をＰ１とする。本実施の形態では、筐体１２、緩衝材１４のいずれも外郭形状が円形であるので、図心位置Ｐ０、Ｐ１は、各々の半径方向における中心位置と同じである。筐体１２の図心位置Ｐ０は、ヘッド１１やフープ１３の図心位置と一致し、軸心Ｃ０は図心位置Ｐ０を通る。
【００２４】
スタンド２０にドラム本体が固定された状態では、ドラム本体の下端位置は、スタンド２０の脚部の下端位置とほぼ一致するか、またはスタンド２０の脚部の下端位置より僅かに高い。緩衝材１４の図心位置Ｐ１は、床面に設置したフットペダル装置２４の演奏操作によりビータ２５が打撃する位置に一致させてある。床面を基準として、筐体１２の図心位置Ｐ０の高さはＨ０で、緩衝材１４の図心位置Ｐ１の高さはＨ１である（Ｈ０＜Ｈ１）。すなわち、図心位置Ｐ１は図心位置Ｐ０よりも上方にオフセットされている。
【００２５】
ドラム本体の外郭（実質的にはフープ１３の外郭）のサイズは、ラック９及び床面に干渉しない範囲で極力大きく設計される。これにより、電子ドラム１０を大きくすることができ、外観上、アコースティックのバスドラムに近づけることができる。このことを、図３（ａ）、（ｂ）で従来の電子ドラムと対比して説明する。
【００２６】
図３（ａ）、（ｂ）は、従来の電子ドラムにおいてドラム本体のサイズ違いによる筐体の図心位置の変化を説明するための図である。図３（ａ）に示す例は、従来の電子バスドラムにおいて一般的に採用される小さいサイズのもので、ドラム本体の半径方向中心位置が、ビータで打撃される打撃位置Ｐｘとなる。打撃位置Ｐｘは、床面からＨｘの高さにある。打撃位置Ｐｘ、高さＨｘは、本実施の形態におけるに図心位置Ｐ１、高さＨ１に相当する。
【００２７】
ここで仮に、従来の構成においてドラム本体のサイズを大きくする場合、打撃位置Ｐｘの高さＨｘは変更してはならないから、打撃位置Ｐｘを中心にドラム本体の外郭を大きくすることになる（図３（ｂ））。サイズを大きくしていくと、ドラム本体の下端が床面に干渉する前の段階で、ドラム本体の上端や側端がラックに干渉することになる。従って、流通している一般のラックに収めることを前提とすると、ドラムのサイズアップに限界がある。
【００２８】
しかし、本実施の形態では、打撃位置Ｐｘに相当する図心位置Ｐ１を、ドラム本体の図心位置でもある筐体１２の図心位置Ｐ０よりも上方に位置させる。これにより、ドラム本体が床面に干渉するまでサイズを大きくしても、一般的なラック９に干渉しない。従って、打撃位置の高さを変えることなく、かなり大型の筐体１２を採用することが可能となる。
【００２９】
また、上述したように、ヘッド１１はスタンド２０の第３の取り付け部２６に対して円周方向の複数箇所でネジ２３によって固定される（図２（ｂ）参照）。螺着箇所は円周方向に等間隔であるので、ヘッド１１を第３の取り付け部２６に対して軸心Ｃ０を中心として回転変位させて取り付け直すことが可能である。筐体１２はスタンド２０に対して固定関係にあるから、ヘッド１１は、筐体１２に対して相対的に配置を切り替え可能である。
【００３０】
図３（ｃ）、（ｄ）は、本実施の形態においてヘッド１１と筐体１２との配置の切り替えを示す正面視である。例えば、図３（ｃ）に示す状態から、螺着する穴の１つ分だけ時計方向に回転させてヘッド１１を第３の取り付け部２６に再度固定することで、図３（ｂ）に示すように、軸心Ｃ０を中心とする時計方向にヘッド１１の位置を筐体１２に対して相対的にずらすことができる。図３（ａ）の状態で図心位置Ｐ１に対応していたヘッド１１の位置は、図３（ｂ）では、Ｐｈで示す位置に変位している。これにより、実際に打撃される箇所を変更することができ、１箇所だけに摩耗が集中することを回避することができる。
【００３１】
本実施の形態によれば、筐体１２の図心位置Ｐ０に対して緩衝材１４の図心位置Ｐ１がオフセットされるように緩衝材１４が配置されるので、打撃位置（図心位置Ｐ１）を筐体１２の軸中心位置（図心位置Ｐ０）に対してオフセットして、設計の自由度を高めることができる。具体的には、打撃位置を筐体１２の軸中心位置に対して上方にオフセットすることで、打撃位置の高さを変えることなく大型の外装（筐体１２等）を採用することができる。それにより、外観をアコースティックのバスドラムに似せることができる。フットペダル装置２４やラック９については従来のものをそのまま使うことができる。
【００３２】
また、ヘッド１１の配置位置を筐体１２に対して相対的に切り替えて、緩衝材１４の図心位置Ｐ１に対応するヘッド１１の位置をずらすことが可能であるので、ヘッド１１の摩耗の集中を避けて寿命を延ばすことができる。
【００３３】
なお、図心位置Ｐ１の図心位置Ｐ０に対する位置の相違は相対的なものである。実際には、打撃の中心となる図心位置Ｐ１は従来の打撃位置Ｐｘと同じ高さを維持するようにし、図心位置Ｐ０を図心位置Ｐ１よりも下方に位置させる。従って、位置関係について別の表現をすれば、図心位置Ｐ１に対して図心位置Ｐ０を下方にオフセットするように、ドラム本体を設計する、ということになる。
【００３４】
ところで、図心位置Ｐ１の図心位置Ｐ０に対するオフセットの量は、製造誤差のような微小な量ではなく、目視でわかる程度の量、すなわち巨視的な差異であるとする。
【００３５】
なお、ヘッド１１はスタンド２０に対して固定される構成を例示したが、図４に変形例を示すように、スタンド２０以外の部分に固定してもよい。
【００３６】
図４（ａ）、（ｂ）は、変形例の電子ドラム１０の縦断面図である。図４（ａ）に示すように、ヘッド１１を、筐体１２の前端部１２ａの内周面に対してネジ２３で螺着する等によって固定してもよい。あるいは、図４（ｂ）に示すように、ヘッド１１のサイズを大きくし、ヘッド１１の周縁部端部の裏面を、筐体１２の前端部１２ａの前端面に対してネジ２３で螺着する等によって固定してもよい。いずれの変形例においても、上記説明したのと同じように、ネジ２３による螺着箇所を円周方向において等間隔に複数設けることで、軸心Ｃ０を中心としてヘッド１１の位置を筐体１２に対して相対的にずらすことができる。
【００３７】
（第２の実施の形態）
図５（ａ）は、第２の実施の形態に係る電子ドラム１０の主要部の分解図である。図５（ｂ）、（ｃ）は、電子ドラム１０の縦断面図、電子ドラム１０のドラム本体の前面図である。図５（ａ）、（ｂ）、（ｃ）は、図１（ａ）、図２（ａ）、（ｂ）に対応している。
【００３８】
本発明の第２の実施の形態では、第１の実施の形態に対し、窓部材１６を追加した点が異なり、その他の構成は第１の実施の形態と同様である。窓部材１６は、ヘッド１１の表側に配置され、ヘッド１１の打撃面１１ａを露出させる窓１６ａを有する。窓１６ａは例えば円形であるが、形状は問わない。窓部材１６は、例えば、筐体１２の前端部１２ａの前端面に対して固着されるが、フープ１３に固定されてもよい。
【００３９】
筐体１２の筒状部の筒方向視において、窓部材１６の窓１６ａの図心位置をＰ２とする。窓部材１６を筐体１２に取り付けた状態で、窓１６ａの図心位置Ｐ２は緩衝材１４の図心位置Ｐ１と略一致する。従って、図心位置Ｐ２は図心位置Ｐ１と同様に図心位置Ｐ０よりも上方にオフセットされている（図５（ｃ））。これにより、ビータ２５は、ヘッド１１における、図心位置Ｐ２に対応する位置を打撃する。緩衝材１４は、窓１６ａで規定される打撃領域の裏側に対応するように位置する。ヘッド１１の配置位置を筐体１２に対して相対的に切り替え可能である点は第１の実施の形態と同様である。
【００４０】
本実施の形態によれば、筐体１２の図心位置Ｐ０に対して窓１６ａの図心位置Ｐ２が上方にオフセットされるので、打撃位置の高さを変えることなく設計の自由度を高めることに関し、第１の実施の形態と同様の効果を奏することができる。
【００４１】
また、ヘッド１１の配置位置を筐体１２に対して相対的に切り替えて、窓１６ａの図心位置Ｐ２に対応するヘッド１１の位置をずらすことが可能であるので、ヘッド１１の摩耗の集中を避けて寿命を延ばすことができる。
【００４２】
なお、本実施の形態では、窓１６ａの領域が打撃可能な領域を規定することになるので、緩衝材１４の形状、サイズまたは配置位置は、第１の実施の形態とは異なっていてもよい。例えば、窓１６ａの図心位置Ｐ２を含むような領域に緩衝材１４が配設されればよく、第１の実施の形態のものよりも広範囲に（例えばヘッド１１の裏側全体に）亘るように緩衝材１４を設けてもよい。
【００４３】
なお、第１、第２の実施の形態では、筐体１２とフープ１３とを分けて考えた、しかし、本発明の適用において、筐体１２とフープ１３とを合わせて外装としての筐体として把握してもよい。そのように把握した場合は、外装としての筐体のうち筐体１２が筒状部となる。
【００４４】
（第３の実施の形態）
第１、第２の実施の形態では、本発明をバスドラム型の電子ドラムに適用した例を示したが、適用されるドラムの種類は問わない。本発明の第３の実施の形態では、本発明をスネアドラムに適用した例を説明する。
【００４５】
図６（ａ）は、第３の実施の形態に係る電子ドラム１０の主要部の分解図である。図６（ｂ）は、電子ドラム１０のドラム本体の前面図である。図６において、第２の実施の形態に対し、形状が異なっても機能的に対応する構成要素には同じ符号を用いている。
【００４６】
ドラム本体は、ヘッド１１、窓部材１６、筐体１２、緩衝材１４等を組み付けてなる。筐体１２は、スネアドラムにおけるシェルに相当する円筒形状をした外装部材であり、全体が筒状部である。ヘッド１１及び窓部材１６は、それぞれの半径方向中心を筐体１２の筒状部の軸心Ｃ０に一致させて、同心に組み付けられる。窓部材１６は、ヘッド１１の表側に配置され、ヘッド１１の打撃面１１ａを露出させる窓１６ａを有する。窓１６ａは例えば円形である。窓部材１６は、例えば、筐体１２の前端部１２ａの上端面に対して固着される。
【００４７】
ヘッド１１は筐体１２に固着される。ヘッド１１の筐体１２に対する固着の態様は、図４（ａ）に例示する構成を採用することができる。すなわち、筐体１２に対する螺着箇所を円周方向において等間隔に複数設けることで、軸心Ｃ０を中心としてヘッド１１の位置を筐体１２に対して相対的にずらすことができる。窓部材１６の表側の面には、表示部１７、複数の操作子１８が配設される。筐体１２の筒状部の筒方向視において、窓部材１６を筐体１２に取り付けた状態で、窓１６ａの図心位置Ｐ２は緩衝材１４の図心位置Ｐ１と略一致する。
【００４８】
本実施の形態によれば、筐体１２の図心位置Ｐ０に対して、打撃位置となる窓１６ａの図心位置Ｐ２がオフセットされるので、設計の自由度を高めることができる。例えば、打撃される領域を窓１６ａ内に限定できるので、窓１６ａ以外の窓部材１６の表面を、表示部１７や操作子１８等の別部品の配設領域として利用することが可能となる。
【００４９】
また、窓１６ａの図心位置Ｐ２に対応するヘッド１１の位置をずらすことが可能であるので、ヘッド１１の摩耗の集中を避けて寿命を延ばすことができる。
【００５０】
なお、上記各実施の形態において、筐体１２は筒状部を有すれば円筒状でなくてもよく、角柱のように筒方向視において多角形であってもよいし、線対称や点対象の形状であってもよい。
【００５１】
なお、打撃センサ１５の配置位置は緩衝材１４の図心位置Ｐ１から外れていてもよい。また、ヘッド１１は、打撃位置（図心位置Ｐ１または図心位置Ｐ２）を含む領域を少なくとも有すればよく、形状は円形である必要はない。特に、第２、第３の実施の形態においては、ヘッド１１は、窓１６ａから露出する領域を有すればよく、窓１６ａから外れる領域の構成は問わない。
【００５２】
なお、筐体１２に対するヘッド１１の回転変位の機能は、取り付けと取り外しという態様に限定されず、回転式拳銃の弾倉のように、所定の操作によって段階的に回転変位する構成であってもよい。あるいは、ラチェット機構のように打撃によって少しずつ変位していくような構成であってもよい。また、筐体１２に対するヘッド１１の変位は、軸心Ｃ０を中心とする回転変位に限定されず、軸心Ｃ０に直交する方向へずらすことができる構成であってもよい。
【００５３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５４】
１０  電子ドラム、  １１  ヘッド（打面部材）、  １１ａ  打撃面、  １２  筐体、  １２ａ  前端部、  １４  緩衝材、  １６  窓部材、  １６ａ  窓、  ２０  スタンド、  Ｐ０、Ｐ１、Ｐ２  図心位置
【図１】
2016133718.tif 000003
【図２】
2016133718.tif 000004
【図３】
2016133718.tif 000005
【図４】
2016133718.tif 000006
【図５】
2016133718.tif 000007
【図６】
2016133718.tif 000008